(57)【要約】      （修正有）【課題】永久磁石を使って一般家庭の必要電力を安定的に供給すること。【解決手段】発電用コイルを装着した固定円盤１０，１１の間に、永久磁石６を埋め込んだフライホイール１５を配置する。回転支柱１２の両端に常温で蒸発の早いエタノールを半分ほど入れたタンク１，２を備えた天秤振り子セットとフライホイール１５を接続する。タンクが下側にある時にはエタノールは蒸発し、支柱１２内部の連結空洞を通り、上側のタンクに移動する。上側のタンクは冷却され、液化したエタノールの重量により回転力を発生する。【選択図】図１
2009002319.tif 000002
【特許請求の範囲】
【請求項１】
内面に複数の発電用巻きコイルを埋め込んだ２枚の固定円盤の中央には空間を持ち、その中央空間には、複数個の永久磁石を埋め込んだフライホイールを保持する回転軸を中心とし、該回転軸一方側には回転を伝える歯車を固定し、該歯車には回転比率変動用の歯車機構を持ち、該歯車機構には回転源となる液体タンク並びに該液体の移動用空タンクを連結する空洞連結天秤パイプ、並びに該歯車機構と両タンクの連結天秤パイプとの回転運動を連結若しくは遮断する電磁チャック又は一方向クラッチを装備した発電装置。
【請求項２】
液体タンク内の液体をエタノール若しくはアルコールに類する液体、若しくは揮発性水溶液を適量充填した請求項１に記載の発電装置
【請求項３】
回転体の永久磁石にフライホイール機能をもたせた請求項１に記載の発電装置
【請求項４】
両端の液体タンクと連結する天秤パイプセットを複数個装備する請求項１に記載の発電装置
【請求項５】
スプリングを補助動力とした請求項１に記載の発電装置＋
【発明の詳細な説明】
【技術分野】
【０００１】  本発明は、地球規模の環境汚染はもとより、有限資源として枯渇が心配され始めた化石燃料や、後処理が問題となる原子力などの燃料資源を一切使用せずに、自然界に太古より普遍の原理として誰もが認める原理を応用し、地球環境に与える環境汚染やエントロピーを出来る限り最小限に抑えることに挑戦した電気エネルギーの生成技術に関するものである。
【背景技術】
【０００２】産業革命以来、世界は著しい発展を遂げ、人々の生活もより豊かになりましたが、生活の豊かさに比例して家庭における電気の使用量は急速に増大しております。工業においても経済の発展と共に、各種の工場生産は益々盛んになると同時に、電気の使用量も増大しております。又環境関係では必ず問題となるＣＯ２問題においても、そのＣＯ２を吸収すべき林業や農業生産においてさえ拡大増産すれば、当然化学肥料や農薬などをはじめとした工業製品が大量に消費され、その生産や途中経路を含め大量の石油消費や排ガスを伴います。これらの一連の関連工場はその生産を拡大する為、当然生産工場における使用電力量は益々増大します。流通業界においても競争の激化により店舗の照明は昼間から光々と輝き、その上顧客の満足度、贅沢度はより新鮮さを求め、その鮮度維持の為のあらゆる装置が大量の電力を消費します。又一歩、家庭に入れば嘗ては理想の家庭と想われていた大量の白物家電が、今や有り余り大容量の電力を消費し、これらの高額家電も、なんら抵抗も無く日常的に粗大ごみとして大量に廃棄物として処理される時代となりました。  昨今では一般家庭でも１００Ｖから２００Ｖの電気を必要とする時代となり、使用電力量は１０ｋｗ／日を超える時代となりました。建築物もより高級化し冷暖房は常備品となり、東京などでは冷房機などが排出する排熱などで気温が上昇するほど電力を必要としております。国道などは雨水の浸透や蒸発や気化熱など、自然界の浄化作用は不可能なほど整備されてしまいました。そして今や大量のマイカー時代となり益々化石燃料の消費は増大しております。自動車業界も化石燃料に代わる車として電気自動車を開発しております。しかしこれらの一見クリーンな電気も、全て有限資源である化石燃料をそのエネルギー源としております。世界ではクリーンなエネルギーとして原子力が確かに注目されておりますが、これとて肝心の核廃棄物の処理については、いまだに根本の解決策はありません。これらのいずれは枯渇する有限資源を必要としない発電では、太陽光の熱エネルギー利用した太陽熱温水器や、ソーラーにより発電した電力を、そのまま電力として利用する考え方などが主流でありますが、これらとて現在の電力事情に代わる様な代替エネルギーは、未だ一般の家庭の電力を潤すほど潤沢ではありません。本発明のような永久磁石の回転力のみを主力とした思想はほとんどありません。又、先願特許には特開平６−１２７３０６号公報特開平１１−４１９６０号公報などがありますがこれらは電磁石や太陽電池を応用したものであり、本発明と根本的に思想を異にするものである。今日、世界のグローバル化は化石燃料の高騰を呼び、今やエネルギーの早急なる根本解決が叫ばれております。しかし未だ妙案も無く、地球に優しいバイオ燃料も食料問題と絡みエネルギー問題は益々複雑化している今日、本発明はこれらの問題に対して解決策の一つとして一石を投じるものであります。【０００３】
【特許文献１】特開平６−１２７３０６号公報
【特許文献１】特開平１１−４１９６０号公報
【発明の開示】
【発明が解決しようとする課題】
【０００４】本発明はかかる問題点に鑑みてなされたもので、その目的は地球環境に重大な影響を及ぼす化石燃料や原子力などの天然資源をほとんど使用せずに、自然界に太古より普遍の原理として誰もが認める原理を応用し、地球環境に与える環境汚染の恐れが無く、且つその装置たるや時代の感覚を採り入れやすい、出来る限り負荷の掛からない簡易な装置で、広範囲な普及を図る為の価格帯も考慮し、故障も少なく設置も容易で、且つ耐久性の高い製品技術を提供するものである。
【問題を解決するための手段】
【０００５】文明根源の利器たる電力に関する上記問題点は、下記構成の本発明の発電機によって解決することができる。すなわち、有限資源として枯渇が心配され始めた化石燃料や、後処理が問題となる原子力などの消耗資源を一切使用せずに、又地球環境に与える環境汚染やエントロピーを出来る限り無くし、普遍の原理を応用した本発明の発電機は、且つ広範囲な普及を目指す為、低価格での製品化を十分考慮し、出来るだけ設備投資を抑えた簡易な装置とし、一般家庭の年間電力料金で十分償却できる製品化のため、部品点数を少なく抑え、且つ故障の少ない、いわゆる半永久的にメンテナンスフリーとする製品化を目指すと同時に、常時発電が出来ることを特徴とする小型発電装置。
【発明の効果】
【０００６】特別な大邸宅は別として一般の家庭における消費電気量は取り敢えずは５ｋｗ／ｈあれば十分であり、本発明の発電装置を家庭に設置することにより、現在の家庭における年間の電気使用料金の数年分で十分償却が可能であり、家計費を削減することはもとより、町工場などにおいては本発明装置を複数台設置することにより、わが国産業の基礎を支える中小企業の経費削減や競争力向上効果には十分その可能性があり、過ってわが国の成長基盤となった中小企業の輸出力も向上し、何よりもその利用発電分だけ、化石燃料の消費も削減され、原子力に頼る度合いも少なくなり、ひいては大気汚染などの環境問題の解決にも貢献することが可能となり、本技術を世界に広めることにより環境問題はもとより、わが国産業の基礎体力をも改善することとなり、家庭はもとより産業界にも多大なる貢献を果たす技術である。
【発明を実施するための最良の形態】
【０００７】本発明発電機の構造とその作用機能を図面で説明する。
第１図は、本発明発電機の構造の説明図である。
立脚する２枚の固定円盤１０、１１の両内面には複数個の発電用巻きコイル５を装着し、両円盤内面中央空間には回転軸３を持つ永久磁石６を埋め込んだフライホイール１５を配置し、回転軸３の一方の端には永久磁石並びにフライホイールに回転力を伝える歯車１７を持ち、該歯車１７は永久磁石６の回転数を上げる為の歯車機構１４を持ち、歯車機構１４の一方の端は電磁チャック若しくは一方向クラッチ１３を経由して、永久磁石６並びにフライホイール１５の回転源となる天秤振り子セット４に繋がる。永久磁石６並びにフライホイール１５の回転原動力となる天秤振り子セット４は、空洞からなる振り子支柱１２と、該振り子支柱１２の両端に接続された２個の密閉式容器タンクからなり、２個の両端容器の内、下方側タンク２は常温で蒸発の早いエタノールを容器内に約半量を満たす密閉式タンクであり、一方対極の上方タンク１はエタノールの気化移動時用の為の密閉式空タンク１であり、振り子支柱１３は両タンク間での気体や液体移動を可能とするために両端タンクと連結空洞となっており、天秤振り子セット４は天秤振り子軸９を基点に回転する。一方最上部の冷却用タンク２３は水を充満し天秤セットの上部タンク１と接触する内面は、水タンク２３内の冷却水温度と外気との温度差により、タンク１が接触する側のタンク２３の外壁面は海綿帯等で被い、いつも含水性の状態に置く。尚フライホイールは永久磁石の回転の安定化と持続性向上のためである。【０００８】一方、最下部に位置するタンク２にはエタノールが約半量充填されており、上部タンク１が冷却タンク２３との接触により、それまで一定に保たれていた天秤振り子セット４内の全体気圧の内、タンク１が冷却により圧力が下がる。その分、下部タンク２内のエタノールが常温下で蒸発を始め圧力があがる。エタノールの気化が始まるとタンク２内の気圧上昇によりエタノールは次第に上部タンク１に移動する。このとき実質的にはタンク１は図３の状態であり、密着する周囲タンク２３内の冷却水により冷やされ、且つタンク１の外周に付着した水分の気化熱により、タンク１内の気体は冷却凝縮されて液化し、次第に上部タンク１は重くなり図４のように天秤振り子軸９を支点に水平状態に近づく。次に液化するとアルコールは下方タンク２に集まり天秤振り子セットは図４から図５の状態になり図３の状態に復元し、再びタンク２内でのエタノールの蒸発が始まる。こうして天秤振り子セット４の半回転運動が連続して繰り返される。【０００９】  一方、天秤振り子セットは一方向クラッチ１３により歯車機構１４と接続されており、セットした方向のみの回転運動を伝える為、歯車機構１４を通じた永久磁石６並びにフライホイールは回転運動を起こし発電用巻きコイル５に電力が発生する。以上が本発明の発電原理ですが、発電用巻きコイルには永久磁石の回転力を弱めない程度の永久磁石を抱かすことにより発電量も上がる。尚排熱など余分な熱があればタンク２の温度上昇に利用すれば、その分回転数を上げることに利用すればよい。或いは排熱などふんだんにあればアルコール類に代わる水溶液は水でもよい。蒸発効率を上げるため下部タンク２を図６のように表面積を増す為の凹凸をつけても良い。又、発電量を増す���に、天秤振り子セットを複数個連結し、タイミングをずらして作動するようにセットすれば連続性も高まるし、フライホイールにより回転もより安定する。又天秤振り子セットにアルコールを充填する際、内部エアーは出来るだけ気化アルコー分と差し替えたほうが反応効率がよい。
【実施例１】
【００１０】  実施例によって本発明を説明する。
発電機の構造：第１図の構造
模型店並びにホームセンターで透明のプラスチック容器、プラスチックパイプ、歯車セット、永久磁石を仕入れ発電用の巻きコイルを製作し、ほとんど図１と同様な模型を試作した。天秤振り子セットを取り付けテストをした結果、天秤振り子セットにはかなりの精巧さと大型が必用であることは判明したが天秤振り子セットの作動により電流計の針が大きく作動し発電能力が十分あることが確認できた。
【産業上の利用可能性】
【００１１】以上記したように、一般の家庭における消費電気量は５〜１０ｋｗ／ｈ程度あれば十分であり、本発明装置一式の利用により現在の年間電気料金の数年分で十分償却が可能で有り、家計費を削減することはもとより、又産業界においても本発明の大型発電機を複数台を設置することによって、わが国産業の基礎を支える中小企業の経費削減にも貢献し、ひいては中小企業の輸出力も向上し、何よりもその分、化石燃料の消費も削減され、原子力に頼る度合いも少なくなり、大気汚染などの環境問題の解決にも貢献することが可能となり、本技術を世界に広めることにより環境問題はもとより、わが国産業の基礎体力をも改善することとなり、電力利用の有利性と共に本装置を応用とした産業機器分野においても産業界には多大なる利用が期待が出来る技術分野である。
【図面の簡単な説明】
【００１２】
【図１】図１は本発明発電装置の構造の上面図と側面図です。
【図２】図２は冷却水タンクの側面断面図です。
【図３】図３は上部タンクの並びに冷却水タンクの上面図です。
【図４】図４は上部タンク内圧の低下により下部タンクの内圧が上昇し、その圧力によって液体が上部タンクに押し上げられ、同時に上部タンク内の気体が凝縮して液化し、次第に上部タンクが重くなり天秤振り子軸９を支点に水平に近づく状態である。
【図５】図５は液体の水平化により全体圧が均衡化され、液化したアルコールが水平化と同時に、下方タンク２に集まり始め、次第に側面図の状態に復元する過程である。
【図６】図６の凹凸は下部タンクの蒸発効率の上昇を目的に、タンク表面積を増す一例です。
【符号の説明】
【００１３】１    上部タンク
２    下部タンク
３    回転軸
４    天秤振り子セット
５    発電用巻きコイル
６    永久磁石
７    ストッパー支点
８    逆転防止ストッパー
９    天秤振り子軸
１０  固定円盤
１１  固定円盤
１２  捩り子支柱
１３  一方向クラッチ
１４  歯車機構
１５  フライホイール
１６  海綿吸水帯
２３  冷却水タンク
【図１】
2009002319.tif 000003
【図２】
2009002319.tif 000004
【図３】
2009002319.tif 000005
【図４】
2009002319.tif 000006
【図５】
2009002319.tif 000007
【図６】
2009002319.tif 000008